【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
撮影装置から撮影画像を取得する取得手段と、
被写体を撮影して得られた第１撮影画像を表示装置の画面に表示させる制御手段と、
前記第１撮影画像と、前記画面に前記第１撮影画像が表示された状態で前記画面を撮影して得られた第２撮影画像と、に基づいて、前記第１撮影画像を補正する補正手段と、
を有し、
前記制御手段は、撮影範囲が前記第１撮影画像の表示領域である撮影画像が前記第２撮影画像として得られるように、前記第１撮影画像が配置され且つ前記第２撮影画像の撮影範囲とすべき領域を表す画像を前記画面に表示させる
ことを特徴とする画像処理装置。
【請求項２】
前記制御手段は、前記第１撮影画像と、前記第２撮影画像の撮影範囲とすべき領域を表す撮影範囲画像と、が配置された画像を前記画面に表示させる
ことを特徴とする請求項１に記載の画像処理装置。
【請求項３】
前記撮影範囲画像は、図形と文字の少なくとも一方を含む
ことを特徴とする請求項２に記載の画像処理装置。
【請求項４】
前記撮影範囲画像は、前記第１撮影画像の輪郭を表す枠画像である
ことを特徴とする請求項２または３に記載の画像処理装置。
【請求項５】
前記制御手段は、前記第１撮影画像の領域以外の領域の色と輝度の少なくとも一方が変更された画像を前記画面に表示させる
ことを特徴とする請求項１〜４のいずれか１項に記載の画像処理装置。
【請求項６】
前記第２撮影画像に基づいて、前記第１撮影画像の表示領域に対する前記第２撮影画像の撮影範囲のずれ量を判断する判断手段と、
前記ずれ量が閾値より大きい場合に、前記第２撮影画像の撮影範囲が前記第１撮影画像の表示領域からずれていることをユーザに通知する通知手段と、
をさらに有する
ことを特徴とする請求項１〜５のいずれか１項に記載の画像処理装置。
【請求項７】
前記判断手段は、前記第２撮影画像の撮影範囲が前記第１撮影画像の表示領域に一致しているか否かを判断する
ことを特徴とする請求項６に記載の画像処理装置。
【請求項８】
前記第２撮影画像は、前記第１撮影画像と前記第１撮影画像の輪郭を表す枠画像とが配置された画像が前記画面に表示された状態で前記画面を撮影して得られた撮影画像であり、
前記判断手段は、
前記第２撮影画像に前記枠画像が写っていない場合に、前記第２撮影画像の撮影範囲が前記第１撮影画像の表示領域に一致していると判断し、
前記第２撮影画像に前記枠画像が写っている場合に、前記第２撮影画像の撮影範囲が前記第１撮影画像の表示領域に一致していないと判断する
ことを特徴とする請求項７に記載の画像処理装置。
【請求項９】
撮影装置から撮影画像を取得する取得手段と、
表示装置の画面を撮影して得られた撮影画像から、前記画面を撮影する際の撮影範囲を判断する判断手段と、
被写体を撮影して得られた第１撮影画像の表示領域が前記判断手段で判断された撮影範囲と一致するように、前記第１撮影画像を前記画面に表示させる制御手段と、
前記第１撮影画像と、前記画面に前記第１撮影画像が表示された状態で前記画面を撮影して得られた第２撮影画像と、に基づいて、前記第１撮影画像を補正する補正手段と、
を有することを特徴とする画像処理装置。
【請求項１０】
前記制御手段は、所定の画像を前記画面に表示させる処理をさらに行い、
前記判断手段は、前記所定の画像が前記画面に表示された状態で前記画面を撮影して得られた撮影画像に基づいて、前記画面を撮影する際の撮影範囲を判断する
ことを特徴とする請求項９に記載の画像処理装置。
【請求項１１】
前記所定の画像は、表示位置毎に他の表示位置と異なる画像が配置された画像である
ことを特徴とする請求項１０に記載の画像処理装置。
【請求項１２】
撮影装置から撮影画像を取得する取得手段と、
被写体を撮影して得られた第１撮影画像を表示装置の画面に表示させる制御手段と、
前記画面に前記第１撮影画像が表示された状態で前記画面を撮影して得られた第２撮影画像に基づいて、前記第１撮影画像の表示領域に対する前記第２撮影画像の撮影範囲のずれ量を判断する判断手段と、
前記ずれ量が閾値より大きい場合に、前記第２撮影画像の撮影範囲が前記第１撮影画像の表示領域からずれていることをユーザに通知する通知手段と、
前記第１撮影画像と前記第２撮影画像に基づいて、前記第１撮影画像を補正する補正手段と、
を有することを特徴とする画像処理装置。
【請求項１３】
前記判断手段は、前記第２撮影画像の撮影範囲が前記第１撮影画像の表示領域に一致しているか否かを判断する
ことを特徴とする請求項１２に記載の画像処理装置。
【請求項１４】
前記第２撮影画像は、前記第１撮影画像と前記第１撮影画像の輪郭を表す枠画像とが配置された画像が前記画面に表示された状態で前記画面を撮影して得られた撮影画像であり、
前記判断手段は、
前記第２撮影画像に前記枠画像が写っていない場合に、前記第２撮影画像の撮影範囲が前記第１撮影画像の表示領域に一致していると判断し、
前記第２撮影画像に前記枠画像が写っている場合に、前記第２撮影画像の撮影範囲が前記第１撮影画像の表示領域に一致していないと判断する
ことを特徴とする請求項１３に記載の画像処理装置。
【請求項１５】
前記補正手段は、前記撮影装置の入出力特性の影響が低減されるように、前記第１撮影画像を補正する
ことを特徴とする請求項１〜１４のいずれか１項に記載の画像処理装置。
【請求項１６】
前記補正手段は、前記第２撮影画像の画素値に対する前記第１撮影画像の画素値の割合を前記第１撮影画像の画素値に乗算することにより、前記第１撮影画像を補正する
ことを特徴とする請求項１〜１５のいずれか１項に記載の画像処理装置。
【請求項１７】
撮影装置から撮影画像を取得する取得ステップと、
被写体を撮影して得られた第１撮影画像を表示装置の画面に表示させる制御ステップと、
前記第１撮影画像と、前記画面に前記第１撮影画像が表示された状態で前記画面を撮影して得られた第２撮影画像と、に基づいて、前記第１撮影画像を補正する補正ステップと、
を有し、
前記制御ステップでは、撮影範囲が前記第１撮影画像の表示領域である撮影画像が前記第２撮影画像として得られるように、前記第１撮影画像が配置され且つ前記第２撮影画像の撮影範囲とすべき領域を表す画像を前記画面に表示させる
ことを特徴とする画像処理方法。
【請求項１８】
撮影装置から撮影画像を取得する取得ステップと、
表示装置の画面を撮影して得られた撮影画像から、前記画面を撮影する際の撮影範囲を判断する判断ステップと、
被写体を撮影して得られた第１撮影画像の表示領域が前記判断ステップで判断された撮影範囲と一致するように、前記第１撮影画像を前記画面に表示させる制御ステップと、
前記第１撮影画像と、前記画面に前記第１撮影画像が表示された状態で前記画面を撮影して得られた第２撮影画像と、に基づいて、前記第１撮影画像を補正する補正ステップと、
を有することを特徴とする画像処理方法。
【請求項１９】
撮影装置から撮影画像を取得する取得ステップと、
被写体を撮影して得られた第１撮影画像を表示装置の画面に表示させる制御ステップと、
前記画面に前記第１撮影画像が表示された状態で前記画面を撮影して得られた第２撮影画像に基づいて、前記第１撮影画像の表示領域に対する前記第２撮影画像の撮影範囲のずれ量を判断する判断ステップと、
前記ずれ量が閾値より大きい場合に、前記第２撮影画像の撮影範囲が前記第１撮影画像の表示領域からずれていることをユーザに通知する通知ステップと、
前記第１撮影画像と前記第２撮影画像に基づいて、前記第１撮影画像を補正する補正ステップと、
を有することを特徴とする画像処理方法。
【請求項２０】
請求項１７〜１９のいずれか１項に記載の画像処理方法の各ステップをコンピュータに
実行させるためのプログラム。 
【手続補正２】
【補正対象書類名】明細書
【補正対象項目名】０００７
【補正方法】変更
【補正の内容】
【０００７】
本発明の第１の態様は、
撮影装置から撮影画像を取得する取得手段と、
被写体を撮影して得られた第１撮影画像を表示装置の画面に表示させる制御手段と、
前記第１撮影画像と、前記画面に前記第１撮影画像が表示された状態で前記画面を撮影して得られた第２撮影画像と、に基づいて、前記第１撮影画像を補正する補正手段と、
を有し、
前記制御手段は、撮影範囲が前記第１撮影画像の表示領域である撮影画像が前記第２撮影画像として得られるように、前記第１撮影画像が配置され且つ前記第２撮影画像の撮影範囲とすべき領域を表す画像を前記画面に表示させる
ことを特徴とする画像処理装置である。 
【手続補正３】
【補正対象書類名】明細書
【補正対象項目名】０００８
【補正方法】変更
【補正の内容】
【０００８】
本発明の第２の態様は、
撮影装置から撮影画像を取得する取得手段と、
表示装置の画面を撮影して得られた撮影画像から、前記画面を撮影する際の撮影範囲を判断する判断手段と、
被写体を撮影して得られた第１撮影画像の表示領域が前記判断手段で判断された撮影範囲と一致するように、前記第１撮影画像を前記画面に表示させる制御手段と、
前記第１撮影画像と、前記画面に前記第１撮影画像が表示された状態で前記画面を撮影して得られた第２撮影画像と、に基づいて、前記第１撮影画像を補正する補正手段と、
を有することを特徴とする画像処理装置である。 
【手続補正４】
【補正対象書類名】明細書
【補正対象項目名】０００９
【補正方法】変更
【補正の内容】
【０００９】
本発明の第３の態様は、
撮影装置から撮影画像を取得する取得手段と、
被写体を撮影して得られた第１撮影画像を表示装置の画面に表示させる制御手段と、
前記画面に前記第１撮影画像が表示された状態で前記画面を撮影して得られた第２撮影画像に基づいて、前記第１撮影画像の表示領域に対する前記第２撮影画像の撮影範囲のずれ量を判断する判断手段と、
前記ずれ量が閾値より大きい場合に、前記第２撮影画像の撮影範囲が前記第１撮影画像の表示領域からずれていることをユーザに通知する通知手段と、
前記第１撮影画像と前記第２撮影画像に基づいて、前記第１撮影画像を補正する補正手段と、
を有することを特徴とする画像処理装置である。 
【手続補正５】
【補正対象書類名】明細書
【補正対象項目名】００１０
【補正方法】変更
【補正の内容】
【００１０】
本発明の第４の態様は、
撮影装置から撮影画像を取得する取得ステップと、
被写体を撮影して得られた第１撮影画像を表示装置の画面に表示させる制御ステップと、
前記第１撮影画像と、前記画面に前記第１撮影画像が表示された状態で前記画面を撮影して得られた第２撮影画像と、に基づいて、前記第１撮影画像を補正する補正ステップと、
を有し、
前記制御ステップでは、撮影範囲が前記第１撮影画像の表示領域である撮影画像が前記第２撮影画像として得られるように、前記第１撮影画像が配置され且つ前記第２撮影画像の撮影範囲とすべき領域を表す画像を前記画面に表示させる
ことを特徴とする画像処理方法である。 
【手続補正６】
【補正対象書類名】明細書
【補正対象項目名】００１１
【補正方法】変更
【補正の内容】
【００１１】
本発明の第５の態様は、
撮影装置から撮影画像を取得する取得ステップと、
表示装置の画面を撮影して得られた撮影画像から、前記画面を撮影する際の撮影範囲を判断する判断ステップと、
被写体を撮影して得られた第１撮影画像の表示領域が前記判断ステップで判断された撮影範囲と一致するように、前記第１撮影画像を前記画面に表示させる制御ステップと、
前記第１撮影画像と、前記画面に前記第１撮影画像が表示された状態で前記画面を撮影して得られた第２撮影画像と、に基づいて、前記第１撮影画像を補正する補正ステップと、
を有することを特徴とする画像処理方法である。 
【手続補正７】
【補正対象書類名】明細書
【補正対象項目名】００１２
【補正方法】変更
【補正の内容】
【００１２】
本発明の第６の態様は、
撮影装置から撮影画像を取得する取得ステップと、
被写体を撮影して得られた第１撮影画像を表示装置の画面に表示させる制御ステップと、
前記画面に前記第１撮影画像が表示された状態で前記画面を撮影して得られた第２撮影画像に基づいて、前記第１撮影画像の表示領域に対する前記第２撮影画像の撮影範囲のずれ量を判断する判断ステップと、
前記ずれ量が閾値より大きい場合に、前記第２撮影画像の撮影範囲が前記第１撮影画像の表示領域からずれていることをユーザに通知する通知ステップと、
前記第１撮影画像と前記第２撮影画像に基づいて、前記第１撮影画像を補正する補正ステップと、
を有することを特徴とする画像処理方法である。 
【手続補正８】
【補正対象書類名】明細書
【補正対象項目名】００１３
【補正方法】変更
【補正の内容】
【００１３】
本発明の第７の態様は、上述した画像処理方法の各ステップをコンピュータに実行させるためのプログラムである。